(57)【要約】 【課題】読影医が特定の検査目的の読影を行う場合に、当該検査目的外の疾患の見落としを防ぐ。【解決手段】読影医による読影目的に関わらず、ＰＡＣＳ３０は、医用画像データの付帯情報に基づいて自動計測処理の種類を決定し、決定した種類の自動計測処理を画像データに対して行い、数値レポート情報を生成する。読影端末４０は、ＰＡＣＳ３０から数値レポート情報を受信する。読影端末４０は、受信した数値レポート情報の検査数値が異常値の場合、その旨の警告を表示する。【選択図】図１
2010268821.tif 000002
【特許請求の範囲】
【請求項１】
それぞれ通信手段を有する医用画像管理装置と医用画像表示装置とが通信ネットワークを介して互いに通信可能に接続されており、
前記医用画像管理装置は、
患者の検査部位の撮影画像のうち検査目的外の疾患に関する検査数値を自動計測しその検査数値レポートを生成して、前記撮影画像と前記検査数値レポートとを互いに関連付け、且つそれぞれ独立したデータで前記通信手段に送信させる制御手段を備え、
前記医用画像表示装置は、
前記通信手段を介して受信した撮影画像及び検査数値レポートを表示画面上に表示させる表示制御手段を備える、
医用画像システム。
【請求項２】
前記制御手段は、前記撮影画像と前記検査数値レポートとを、各々に付帯する付帯情報に基づいて関連付ける、
請求項１に記載の医用画像システム。
【請求項３】
前記制御手段は、撮影画像の撮影条件に基づいて、自動計測を行う検査の種類を決定する、
請求項１又は２に記載の医用画像システム。
【請求項４】
前記表示制御手段は、前記検査数値が異常値の場合、その旨の警告を表示画面上に表示させる、
請求項１〜３の何れか一項に記載の医用画像システム。
【請求項５】
外部機器との間でデータの送受信を行う通信手段と、
患者の検査部位の撮影画像のうち検査目的外の疾患に関する検査数値を自動計測しその検査数値レポートを生成して、前記撮影画像と前記検査数値レポートとを互いに関連付け、且つそれぞれ独立したデータで前記通信手段に送信させる制御手段と、
を備える医用画像管理装置。
【請求項６】
前記制御手段は、前記撮影画像と前記検査数値レポートとを、各々に付帯する付帯情報に基づいて関連付ける、
請求項５に記載の医用画像管理装置。
【請求項７】
前記制御手段は、撮影画像の撮影条件に基づいて、自動計測を行う検査の種類を決定する、
請求項５又は６に記載の医用画像管理装置。
【請求項８】
患者の検査部位の撮影画像のうち検査目的外の疾患に関する検査数値を自動計測しその検査数値レポートを生成して、前記撮影画像と前記検査数値レポートとを互いに関連付け、且つそれぞれ独立したデータで外部機器に送信するデータ処理方法。
【請求項９】
コンピュータを、
外部機器との間でデータの送受信を行う通信手段、
患者の検査部位の撮影画像のうち検査目的外の疾患に関する検査数値を自動計測しその検査数値レポートを生成して、前記撮影画像と前記検査数値レポートとを互いに関連付け、且つそれぞれ独立したデータで前記通信手段に送信させる制御手段、
として機能させるためのプログラム。
【発明の詳細な説明】
【技術分野】
【０００１】
本発明は、医用画像システム、医用画像管理装置、データ処理方法及びプログラムに関する。
【背景技術】
【０００２】
医療の分野において、患者を撮影した撮影画像（医用画像）はデジタル化して扱われている。具体的には、ＣＲ（Computed Radiography）装置やＣＴ（Computed Tomography）装置、ＭＲ（Magnetic Resonance）装置等の医用撮影装置（以下、「モダリティ」と称す）を用いて、デジタル画像データを生成する。
【０００３】
このデジタル画像データは、ＤＩＣＯＭ（Digital Imaging and Communication in Medicine）規格に準拠したデータ形式で、医用画像の画像データと当該画像データに関する付帯情報とから成る。以下、このデジタル画像データを医用画像データと称す。
【０００４】
そして生成された医用画像データは、ＰＡＣＳ（Picture Archiving and Communication System for medical application）と呼ばれる画像サーバ（医用画像管理装置）で記憶管理されている。
【０００５】
また、近年、医用画像のデジタル化に伴い、医用画像の心胸比の計測や脊柱の側弯度の計測等のような、幾何学的な画像計測が自動化されて行われている。
【０００６】
例えば、心胸比や脊柱の側弯度等、画像を幾何学的に計測するための計測処理装置において、自動計測を効率よく行うために、同一被写体・同一部位を表す複数の画像のうち、過去の画像に対して設定された計測点の位置情報と計測対象画像の画像データとに基づいて、計測対象画像を幾何学的に計測するための計測点を自動的に設定するものが提案されている（特許文献１参照）。
【特許文献１】特開２００２−２０３２４８号公報
【発明の開示】
【発明が解決しようとする課題】
【０００７】
一方、医用画像のデジタル化に伴い、読影医が読影を行う１日当たりの医用画像の数は増大の一途を辿っている。そのため、読影医が読影対象となる画像の特定領域（例えば、胸部や腹部）に対して、特定の検査目的の読影（例えば、心不全を予防するための心胸比の読影）を行う場合、関心のない領域に対しては目が届きにくく、重篤な疾患の兆候を見落としてしまう恐れがある。
【０００８】
本発明は、上述したような課題に鑑みて為されたものであり、その目的とするところは、読影医が特定の検査目的の読影を行う場合に、当該検査目的外の疾患の見落としを防ぎ得る医用画像システム、医用画像管理装置、データ処理方法及びプログラムを提供することである。
【課題を解決するための手段】
【０００９】
上記の課題を解決するために、請求項１に記載の医用画像システムは、
それぞれ通信手段を有する医用画像管理装置と医用画像表示装置とが通信ネットワークを介して互いに通信可能に接続されており、
前記医用画像管理装置は、
患者の検査部位の撮影画像のうち検査目的外の疾患に関する検査数値を自動計測しその検査数値レポートを生成して、前記撮影画像と前記検査数値レポートとを互いに関連付け、且つそれぞれ独立したデータで前記通信手段に送信させる制御手段と、を備え、
前記医用画像表示装置は、
前記通信手段を介して受信した撮影画像及び検査数値レポートを表示画面上に表示させる表示制御手段を備える。
【００１０】
請求項２に記載の発明は、請求項１に記載の発明において、
前記制御手段は、前記撮影画像と前記検査数値レポートとを、各々に付帯する付帯情報に基づいて関連付ける。
【００１１】
請求項３に記載の発明は、請求項１又は２に記載の発明において、
前記制御手段は、撮影画像の撮影条件に基づいて、自動計測を行う検査の種類を決定する。
【００１２】
請求項４に記載の発明は、請求項１〜３の何れか一項に記載の発明において、
前記表示制御手段は、前記検査数値が異常値の場合、その旨の警告を表示画面上に表示させる。
【００１３】
請求項５に記載の医用画像管理装置は、
外部機器との間でデータの送受信を行う通信手段と、
患者の検査部位の撮影画像のうち検査目的外の疾患に関する検査数値を自動計測しその検査数値レポートを生成して、前記撮影画像と前記検査数値レポートとを互いに関連付け、且つそれぞれ独立したデータで前記通信手段に送信させる制御手段と、
を備える。
【００１４】
請求項６に記載の発明は、請求項５に記載の発明において、
前記制御手段は、前記撮影画像と前記検査数値レポートとを、各々に付帯する付帯情報に基づいて関連付ける。
【００１５】
請求項７に記載の発明は、請求項５又は６に記載の発明において、
前記制御手段は、撮影画像の撮影条件に基づいて、自動計測を行う検査の種類を決定する。
【００１６】
請求項８に記載のデータ処理方法は、
患者の検査部位の撮影画像のうち検査目的外の疾患に関する検査数値を自動計測しその検査数値レポートを生成して、前記撮影画像と前記検査数値レポートとを互いに関連付け、且つそれぞれ独立したデータで外部機器に送信する。
【００１７】
請求項９に記載のプログラムは、
コンピュータを、
外部機器との間でデータの送受信を行う通信手段、
患者の検査部位の撮影画像のうち検査目的外の疾患に関する検査数値を自動計測しその検査数値レポートを生成して、前記撮影画像と前記検査数値レポートとを互いに関連付け、且つそれぞれ独立したデータで前記通信手段に送信させる制御手段、
として機能させる。
【発明の効果】
【００１８】
本発明によれば、検査目的部位の撮影画像と共に、当該撮影画像の検査目的外の疾患に関する検査数値を自動計測してその検査数値レポートを出力することができるので、検査目的外の疾患の発見又は見落としの抑制に資する。
【発明を実施するための最良の形態】
【００１９】
以下、図面を参照して、本発明に係る医用画像システムの一実施形態について説明する。
【００２０】
[医用画像システムのシステム構成]
図１に、医用画像システム１００のシステム構成を示す。図１に示すように、医用画像システム１００は、ＲＩＳ（Radiological Information System：放射線情報システム）１０と、モダリティ２０と、ＰＡＣＳ３０と、読影端末４０とから構成されており、各装置は通信ネットワークＮを介して、データ通信可能に接続されている。
【００２１】
ＲＩＳ１０は、制御部や記憶部、操作部、表示部、通信部等を有するコンピュータにより構成され、放射線科部門内における診療予約、診断結果のレポート、実績管理、材料在庫管理等の情報管理を行う。ＲＩＳ１０は、図示しない電子カルテ端末等により入力された検査オーダの登録を受け付ける。そして、その登録された検査オーダによって、検査オーダ情報を生成し、モダリティ２０に送信する。
【００２２】
検査オーダ情報とは撮影や診断の検査オーダの内容を示すデータであり、患者情報、検査情報及びシリーズ情報を含む。患者情報は、撮影を行う患者の受付番号や氏名、患者ＩＤ、性別等の患者毎に設定されたデータである。検査情報は、医師がオーダした検査を識別する検査ＩＤ、手技、検査部位、撮影方向及び体位といった検査条件を示すデータである。シリーズ情報は、一つの検査の中で生成されるモダリティ２０毎の一連の医用画像の単位（シリーズ）を示すシリーズＵＩＤやモダリティ２０の種別（モダリティ種別）を含むデータである。
【００２３】
モダリティ２０は、患者を撮影し、撮影画像（医用画像）の画像データを生成する医用撮影装置である。モダリティ２０としては、ＣＲ装置、ＣＴ装置、ＭＲＩ装置、内視鏡装置、超音波診断装置等、様々な種類の医用画像を撮影するモダリティが適用可能である。
【００２４】
モダリティ２０は、ＲＩＳ１０から受信した検査オーダ情報に基づいて、生成した医用画像の画像データに関する各種情報（患者情報、検査情報及びシリーズ情報等）を有する付帯情報を生成する。そして、当該画像データに当該付帯情報を付加し、ＤＩＣＯＭ規格に則った医用画像データを生成する。
【００２５】
図２に、医用画像１枚の画像データに対応する医用画像データ（以下、医用画像データオブジェクトと称す。）のデータ構成を示す。医用画像データオブジェクトは、前述の通り、医用画像１枚の画像データと当該画像データに関する付帯情報とから成る。そして、付帯情報は、患者情報、検査情報及びシリーズ情報等を含む。
【００２６】
モダリティ２０は、医用画像データをＰＡＣＳ３０に送信する。
【００２７】
ＰＡＣＳ３０は、医用画像データ、数値レポート情報を保存し、管理する医用画像管理装置である。ＰＡＣＳ３０は、読影端末４０から送信される読影用データ取得要求に応じて、該当する医用画像データ、数値レポート情報を当該読影端末４０に送信する。
【００２８】
ＰＡＣＳ３０は、モダリティ２０から受信した医用画像データに含まれる画像データに対して自動計測処理を行い、医用画像に関する検査数値レポートの情報である数値レポート実データを生成する。そして、医用画像データに含まれる付帯情報等に基づいて、生成した数値レポート実データに関する各種情報（患者情報、検査情報及びシリーズ情報等）を有する付帯情報を生成する。そして、当該数値レポート実データに生成した付帯情報を付加し、ＤＩＣＯＭ規格に則った数値レポート情報を生成する。また、ＰＡＣＳ３０は、医用画像データと数値レポート情報とを各々の付帯情報を用いて関連付ける。そして、当該数値レポートを保存する。尚、自動計測処理、数値レポート実データについての詳細は後述する。
【００２９】
図３に、１回の自動計測処理における検査数値レポートの情報（数値レポート実データ）に対応する数値レポート情報（以下、数値レポート情報オブジェクトと称す。）のデータ構成を示す。数値レポート情報オブジェクトは、前述の通り、１回の自動計測処理における検査数値レポートの情報（数値レポート実データ）と当該数値レポート実データに関する付帯情報とから成る。そして、付帯情報は、患者情報、検査情報及びシリーズ情報等を含む。
【００３０】
読影端末４０は、受信した医用画像データや数値レポート情報に基づいて、医用画像や当該医用画像に関する検査数値レポート等の再生表示を行う医用画像表示装置である。読影端末４０は、読影用データ取得要求をＰＡＣＳ３０に送信し、ＰＡＣＳ３０に保存されている医用画像データや数値レポート情報等を取得する。
【００３１】
[モダリティの機能的構成]
図４に、モダリティ２０の機能構成を示す。図４に示すように、モダリティ２０は、制御部２１、操作部２２、表示部２３、通信部２４、ＲＯＭ（Read Only Memory）２５、記憶部２６、撮影部２７等を備えて構成され、各部はバス２８により接続されている。
【００３２】
制御部２１は、ＣＰＵ（Central Processing Unit）、ＲＡＭ（Random Access Memory）等から構成される。制御部２１は、ＲＯＭ２５に記憶されている各種処理プログラムを読み出し、ＲＡＭ内に形成されたワークエリアに展開し、当該プログラムに従ってモダリティ２０の各部を統括的に制御する。
【００３３】
操作部２２は、各種設定キー、操作指示キー等を備え、キー操作により入力された指示信号（操作信号）を制御部２１に出力する。
【００３４】
表示部２３は、ＬＣＤ（Liquid Crystal Display）により構成され、制御部２１から入力される表示信号の指示に従って、操作部２２からの入力指示やデータ等を表示する。
【００３５】
通信部２４は、ＬＡＮ（Local Area Network）アダプタ、ルータ、ＴＡ（Terminal Adapter）等を備え、通信ネットワークＮを介して接続されたＲＩＳ１０、ＰＡＣＳ３０、読影端末４０等の外部機器との間でデータの送受信を行う。
【００３６】
ＲＯＭ２５は、不揮発性の半導体メモリ等により構成され、制御部２１で実行される各種処理プログラム、各種データ等を記憶する。これらの各種プログラムは、読み取り可能なプログラムコードの形態で格納され、制御部２１は、当該プログラムコードに従った動作を逐次実行する。尚、ＲＯＭ２５は、マスクＲＯＭ、ＰＲＯＭの何れの形態であっても良い。
【００３７】
記憶部２６は、ハードディスク等の記憶装置であり、医用画像データ等を記憶する。
【００３８】
撮影部２７は、撮影技師の操作部２２からの指示により、患者を撮影して医用画像の画像データを生成する。
【００３９】
制御部２１は、通信部２４を介してＲＩＳ１０から受信した検査オーダ情報に基づいて、撮影部２７により生成された画像データに関する付帯情報を生成する。そして、制御部２１は、当該画像データに付帯情報を付加して医用画像データを生成し、記憶部２６に記憶させる。そして、制御部２１は、記憶部２６から医用画像データを読み出して、ＰＡＣＳ３０に送信する。
【００４０】
[ＰＡＣＳの機能的構成]
図５に、ＰＡＣＳ３０の機能構成を示す。図５に示すように、ＰＡＣＳ３０は、制御部３１、操作部３２、表示部３３、通信部３４、ＲＯＭ３５、記憶部３６等を備えて構成され、各部はバス３７により接続されている。
【００４１】
制御部３１は、ＣＰＵ、ＲＡＭ等から構成される。制御部３１は、ＲＯＭ３５に記憶されている各種処理プログラムを読み出し、ＲＡＭ内に形成されたワークエリアに展開し、当該プログラムに従ってＰＡＣＳ３０の各部を統括的に制御する。
【００４２】
操作部３２は、カーソルキー、数字入力キー、及び各種機能キー等を備えたキーボードと、マウスなどのポインティングデバイスを備えて構成され、キーボードに対するキー操作やマウス操作により入力された指示信号（操作信号）を制御部３１に出力する。
【００４３】
表示部３３は、ＬＣＤ（Liquid Crystal Display）により構成され、制御部３１から入力される表示信号の指示に従って、操作部３２からの入力指示やデータ等を表示する。
【００４４】
通信部３４は、ＬＡＮ（Local Area Network）アダプタ、ルータ、ＴＡ（Terminal Adapter）等を備え、通信ネットワークＮを介して接続されたＲＩＳ１０、モダリティ２０、読影端末４０等の外部機器との間でデータの送受信を行う。
【００４５】
ＲＯＭ３５は、不揮発性の半導体メモリ等により構成され、制御部３１で実行される各種処理プログラム、各種データ等を記憶する。これらの各種プログラムは、読み取り可能なプログラムコードの形態で格納され、制御部３１は、当該プログラムコードに従った動作を逐次実行する。尚、ＲＯＭ３５は、マスクＲＯＭ、ＰＲＯＭの何れの形態であっても良い。
【００４６】
記憶部３６は、ハードディスク等の記憶装置であり、医用画像データ、数値レポート情報等を蓄積記憶する。また、記憶部３６は、自動計測種類テーブル３６１を記憶する。自動計測種類テーブル３６１についての詳細は後述する。
【００４７】
制御部３１は、通信部３４を介してモダリティ２０から受信した医用画像データを記憶部３６に記憶させる。
【００４８】
また、制御部３１は、モダリティ２０から受信した医用画像データに含まれる画像データに対して自動計測処理を行い、数値レポート実データを生成する。そして、制御部３１は、医用画像データに含まれる付帯情報等に基づいて、生成した数値レポート実データに関する付帯情報を生成する。
【００４９】
ここで、制御部３１は、数値レポート実データに関する付帯情報を生成する際、当該数値レポート実データに関する付帯情報と、自動計測処理を行った画像データを含む医用画像データの付帯情報とを関連付ける。
【００５０】
具体的に、付帯情報の関連付けは、それぞれの付帯情報に含まれる患者情報中の各種情報（患者の受付番号、氏名、患者ＩＤ等）の値及び検査情報中の各種情報（検査ＩＤ、検査手技、検査部位、撮影方向等）の値を同値とすることにより行われる。
【００５１】
または、付帯情報の関連付けは、医用画像データの付帯情報に画像ＵＩＤを持たせ、更に数値レポート実データに関する付帯情報にも同様の画像ＵＩＤを持たせて、これらの画像ＵＩＤを同値とすることにより行われるとしてもよい。
【００５２】
そして、制御部３１は、生成した付帯情報を数値レポート実データに付加して数値レポート情報を生成し、記憶部３６に記憶させる。
【００５３】
前記付帯情報の関連付けを行うことで、医用画像データと数値レポート情報とが関連付けられることになる。
【００５４】
尚、医用画像データと数値レポート情報との関連付けは、１対１、複数対複数、複数対１、１対複数のように、どのように関連付けてもよい。
【００５５】
例えば、ある患者に対する同一検査内で撮影された複数枚の医用画像に対して自動計測処理を行い、複数対１に医用画像データと数値レポート情報とを関連付ける。
【００５６】
また、ある患者に対する同一検査内で撮影された複数枚の医用画像に対して、複数の検査種類の自動計測処理を行い、複数対複数に医用画像データと数値レポート情報とを関連付けてもよい。
【００５７】
また、１枚の医用画像に対して自動計測処理を行い、１対１に医用画像データと数値レポート情報とを関連付けてもよい。
【００５８】
制御部３１は、通信部３４を介して読影端末４０から読影用データ取得要求を受信すると、該当する医用画像データ、数値レポート情報を、通信部３４を介して読影端末４０に送信する。
【００５９】
ここで、読影用データ取得要求には、患者ＩＤ、検査ＩＤが含まれる。制御部３１は、通信部３４を介して読影端末４０から読影用データ取得要求を受信すると、当該読影用データ取得要求に含まれる患者ＩＤ、検査ＩＤを読み出す。そして、制御部３１は、当該読み出した患者ＩＤ及び検査ＩＤと同じ値を持つ医用画像データを、記憶部３６において検索する。また、同様に、当該読み出した患者ＩＤ及び検査ＩＤと同じ値を持つ数値レポート情報を検索する。検索の結果、該当する医用画像データがあった場合、当該医用画像データを記憶部３６から読み出し、通信部３４を介して読影端末４０に送信する。同様に、検索の結果、該当する数値レポート情報があった場合、当該数値レポート情報を読み出し、通信部３４を介して読影端末４０に送信する。
【００６０】
[自動計測処理]
ここで、制御部３１が行う自動計測処理について説明する。自動計測処理とは、画像データを幾何学的に計測する処理である。例えば、自動計測処理の種類として、心胸比自動計測処理、コブ角度自動計測処理、内臓脂肪自動計測処理等がある。
【００６１】
心胸比自動計測処理とは、パターンマッチングやエッジ探索等を用いて医用画像の各部を識別し、自動で胸郭と心臓の各幅を計測して、心胸比（心胸比＝心臓幅／胸郭幅×１００）を算出する処理である。心胸比は通常５０％以下であるが、５０％を超えると心肥大と診断される。
【００６２】
コブ角度自動計測処理とは、パターンマッチングやエッジ探索等を用いて、医用画像の各部を識別し、脊椎において最も強く側弯を示している部位の上下端にある終椎（傾斜角の最も大きな椎体）の上位終椎の上面と下位終椎の下面のなす角、すなわち、コブ角度を自動で計測する処理である。一般的にコブ角度が２５度を超えると要治療と診断される。
【００６３】
内臓脂肪面積自動計測処理とは、パターンマッチングやエッジ探索等を用いて、医用画像の各部や脂肪箇所を識別し、内臓脂肪の面積を計測する処理である。
【００６４】
制御部３１は、自動計測処理対象となる医用画像データの付帯情報を解析する。具体的に、付帯情報に含まれる検査情報の「手技」、「検査部位」、「撮影方向」、「体位」、付帯情報に含まれるシリーズ情報の「モダリティ種別」を読み出し、自動計測種類テーブル２６１を参照し、自動計測処理の種類（自動計測を行う検査の種類）を決定する。
【００６５】
ここで、図６に自動計測種類テーブル３６１のデータ構成を示す。図６に示すように、自動計測種類テーブル３６１は、「モダリティ種別」、「手技」、「検査部位」、「体位」、「撮影方向」、「自動計測処理」の項目から成る。「モダリティ種別」は、医用画像データの付帯情報に含まれるシリーズ情報の「モダリティ種別」に対応する項目である。また、「手技」、「検査部位」、「体位」、「撮影方向」は、それぞれ、医用画像データの付帯情報に含まれる検査情報の「手技」、「検査部位」、「体位」、「撮影方向」に対応する項目である。また、「自動計測処理」は、自動計測処理の種類を示す項目である。
【００６６】
例えば、自動計測種類テーブル３６１が図６のような値であり、制御部３１が医用画像データの付帯情報から読み出した「モダリティ種別」、「手技」、「検査部位」、「体位」、「撮影方向」の値がそれぞれ、「ＣＲ」、「単純」、「胸部」、「立位」、「正面」である場合、制御部３１は、自動計測処理として「心胸比自動計測処理」を選択する。
【００６７】
図７に、数値レポート情報に含まれる数値レポート実データのデータ構成を示す。数値レポート実データは、「作成日」、「作成者」、「タイトル」、「見出し」、「値」の項目から成る。「作成日」は、数値レポート実データが生成された日にちを示す項目である。また、「作成者」は、数値レポート実データを生成した装置名を示す項目である。「タイトル」は、自動計測処理により生成された検査数値レポートの種類を示す項目であり、自動計測処理の種類に１対１に対応している。具体的に、心胸比自動計測処理、コブ角度自動計測処理、内臓脂肪面積自動計測処理に対応するタイトルは、それぞれ「心胸比計測レポート」、「コブ角度計測レポート」、「内臓脂肪面積計測レポート」となる。また、「見出し」は、自動計測処理により計測された検査数値の名称を示す項目である。また、「値」は、自動計測処理に計測された検査数値を示す項目である。
【００６８】
例えば、数値レポート実データの項目「作成日」、「作成者」、「タイトル」、「見出し」、「値」の値は、それぞれ「２００７／７／７」、「ＣＳ―Ｘ」、「心胸比計測レポート」、「心胸比値」、「４５％」となる。
【００６９】
[読影端末の機能的構成]
図８に、読影端末４０の機能構成を示す。図８に示すように、読影端末４０は、制御部４１、操作部４２、表示部４３、通信部４４、ＲＯＭ４５、記憶部４６等を備えて構成され、各部はバス４７により接続されている。
【００７０】
制御部４１は、ＣＰＵ、ＲＡＭ等から構成される。制御部４１は、ＲＯＭ４５に記憶されている各種処理プログラムを読み出し、ＲＡＭ内に形成されたワークエリアに展開し、当該プログラムに従って読影端末４０の各部を統括的に制御する。
【００７１】
操作部４２は、カーソルキー、数字入力キー、及び各種機能キー等を備えたキーボードと、マウスなどのポインティングデバイスを備えて構成され、キーボードに対するキー操作やマウス操作により入力された指示信号を制御部４１に出力する。
【００７２】
表示部４３は、ＬＣＤ等の高精細モニタにより構成され、制御部４１から入力される表示データに基づいて各種画面を表示する。特に、表示部４３は、読影医が読影を行う際に医用画像を表示する。
【００７３】
通信部４４は、ＬＡＮ（Local Area Network）アダプタ、ルータ、ＴＡ（Terminal Adapter）等を備え、通信ネットワークＮを介して接続されたＲＩＳ１０、モダリティ２０、ＰＡＣＳ３０等の外部機器との間でデータの送受信を行う。
【００７４】
ＲＯＭ４５は、不揮発性の半導体メモリ等により構成され、制御部４１で実行される各種処理プログラム、各種データ等を記憶する。これらの各種プログラムは、読み取り可能なプログラムコードの形態で格納され、制御部４１は、当該プログラムコードに従った動作を逐次実行する。尚、ＲＯＭ４５は、マスクＲＯＭ、ＰＲＯＭの何れの形態であっても良い。
【００７５】
記憶部４６は、ハードディスク等の記憶装置であり、各種データを記憶する。また、記憶部４６は、数値レポート異常値テーブル４６１を記憶している。
【００７６】
図９に、数値レポート異常値テーブル４６１のデータ構成を示す。図９に示すように、数値レポート異常値テーブル４６１は、「見出し」、「異常値」の項目から成る。「見出し」は、数値レポート情報に含まれる数値レポート実データの「見出し」に対応する項目であり、自動計測処理により計測された検査数値の名称を示す。また、「異常値」は、自動計測処理により計測された検査数値の異常値又は範囲を示す項目である。例えば、心胸比値に対応する異常値は、「５０パーセント以上」であり、内臓脂肪面積に対応する異常値は、「１００平方センチメートル以上」である。
【００７７】
尚、数値レポート異常値テーブル４６１のレコードの追加、各項目の値の変更は、操作部４２におけるユーザ操作等により適宜変更可能である。
【００７８】
制御部４１は、読影医による操作部４２からの読影画面を表示させる旨の指示信号が入力されると、読影用データ取得要求を通信部４４を介してＰＡＣＳ３０に送信する。
【００７９】
制御部４１は、ＰＡＣＳ３０から医用画像データ、数値レポート情報を通信部４４を介して受信すると、読影画面表示処理を行い、表示部４３に読影画面を表示させる。読影医はこの読影画面を参照して読影を行う。
【００８０】
[読影画面表示処理]
ここで、制御部４１が行う読影画面表示処理について説明する。制御部４１は、ＰＡＣＳ３０から受信した数値レポート情報に含まれる数値レポート実データの項目「見出し」と項目「値」の値を読み出す。
【００８１】
制御部４１は、数値レポート異常値テーブル４６１を参照して、該当する（「見出し」が一致する）レコードの「異常値」と数値レポート情報の「値」を比較し、数値レポート情報の「値」が異常値であるか否か（数値異常であるか否か）を判定する。
【００８２】
数値異常でない場合、制御部４１は、読影画面の初期画面として通常読影画面４３１（図１０参照）を表示部４３に表示させる。また、数値異常である場合、制御部４１は、読影画面の初期画面として注意喚起用読影画面４３２（図１１参照）を表示部４３に表示させる。
【００８３】
例えば、図７のように心胸比自動計測処理の数値レポート情報の心胸比値が４５％だった場合、図９に示す数値レポート異常値テーブル４６１によると、異常値７０％以上に該当しないため、制御部４１は、数値異常でないと判定し、通常読影画面４３１を表示する。
【００８４】
図１０に、通常読影画面４３１の画面例を示す。図１０に示すように、通常読影画面４３１には、医用画像と、医用画像に関する患者情報、検査情報等が表示される。また、当該医用画像の医用画像データに関連する数値レポート情報を示すボックスＤ１が閉じて表示される。ボックスＤ１が閉じた状態だと、数値レポート情報の「タイトル」がボックスＤ１上に表示される。また、ボックスＤ１が開いた状態だと、ボックスＤ１上に、数値レポート情報の「タイトル」、「見出し」、「値」の各値が表示される。ボックスＤ１はユーザ操作により開閉される。
【００８５】
図１１に、注意喚起用読影画面４３２の画面例を示す。図１１に示すように、注意喚起用読影画面４３２には、医用画像と、医用画像に関する患者情報、検査情報等が表示される。また、当該医用画像の医用画像データに関連する数値レポート情報を示すボックスＤ２が開いて表示される。ボックスＤ２が開いた情報だと、ボックスＤ２上に、数値レポート情報の「タイトル」、「見出し」、「値」の各値が表示される。また、ボックスＤ２が閉じた状態だと、数値レポート情報の「タイトル」がボックスＤ２上に表示される。ボックスＤ２はユーザ操作により開閉される。ボックスＤ２を始めから開いて表示することにより、読影医に対して、数値レポート情報の「値」が異常値であると警告する。
【００８６】
尚、制御部４１がＰＡＣＳ３０に送信した読影用データ取得要求に対して、該当する数値レポート情報がなく、医用画像データのみをＰＡＣＳ３０から受信した場合、通常読影画面４３１のボックスＤ１、注意喚起用読影画面４３２のボックスＤ２は表示されない。
【００８７】
尚、制御部４１がＰＡＣＳ３０に送信した読影用データ取得要求に対して、該当する数値レポート情報オブジェクトを複数受信した場合、通常読影画面４３１のボックスＤ１、注意喚起用読影画面４３２のボックスＤ２は複数表示される。
【００８８】
この場合、数値異常である数値レポート情報オブジェクトが一つもないと、通常読影像画面４３１が、数値異常である数値レポート情報オブジェクトが一つでもあると、注意喚起用読影画面４３２が表示される。更に、注意喚起用読影画面４３２において、数値異常である数レポート情報オブジェクトに対応するボックスＤ２のみが始めから開いて表示される。
【００８９】
[医用画像システムの動作]
次に、医用画像システム１００における動作を説明する。図１２は、モダリティ２０、ＰＡＣＳ３０及び読影端末４０において実行される処理を示すラダーチャートである。
【００９０】
図１２に示すように、モダリティ２０は、患者を撮影し（ステップＳ１）、医用画像データを生成する（ステップＳ２）。そして、モダリティ２０は、ステップＳ２において生成した医用画像データをＰＡＣＳ３０に送信する（ステップＳ３）。ＰＡＣＳ３０は、モダリティ２０から送信された医用画像データを保存する（ステップＳ４）。
【００９１】
ＰＡＣＳ３０は、保存した医用画像データに含まれる画像データに対して自動計測処理を行い（ステップＳ５）、数値レポート情報を生成する（ステップＳ６）。この際、医用画像データと数値レポート情報とを付帯情報に基づいて関連付ける。そして生成した数値レポート情報を保存する（ステップＳ７）。
【００９２】
次に、読影端末４０は、読影医のユーザ操作等に基づき、読影用データ取得要求をＰＡＣＳ３０に送信する（ステップＳ８）。ＰＡＣＳ３０は、当該読影用データ取得要求を受信すると、該当する医用画像データを読影端末４０に送信する（ステップＳ９）。また、該当する数値レポート情報を読影端末４０に送信する（ステップＳ１０）。
【００９３】
そして、読影端末４０は、ＰＡＣＳ３０から受信した医用画像データと数値レポート情報とに基づいて、読影画面表示処理を行う（ステップＳ１１）。
【００９４】
図１３は、読影端末４０が行う読影画面表示処理を示すフローチャートである。図１３に示すように、読影端末４０は、ＰＡＣＳ３０から受信した数値レポート情報を解析する（ステップＳ１１１）。そして、数値レポート異常値テーブル４６１を参照して数値レポート実データ中の項目「値」が異常値であるか否かを判定する（ステップＳ１１２）。
【００９５】
判定の結果、異常値でない場合（ステップＳ１１２；Ｎｏ）、読影端末４０は、医用画像データと数値レポート情報とに基づき、通常読影画面４３１を表示する（ステップＳ１１３）。また、判定の結果、異常値である場合（ステップＳ１１２；Ｙｅｓ）、読影端末４０は、医用画像データと数値レポート情報とに基づき、注意喚起用読影画面４３２を表示する（ステップＳ１１４）。
【００９６】
以上、本実施の形態によると、読影医による読影目的にかかわらず、ＰＡＣＳ３０は、医用画像データの付帯情報に基づいて自動計測処理の検査種類を決定し、決定した検査種類の自動計測処理を行って数値レポート情報を生成する。そして、読影端末４０は、生成された数値レポート情報の値が異常値の場合、その旨の警告（注意喚起用読影画面４３２）を表示する。
【００９７】
そのため、読影医による読影目的外（検査目的外）の疾患を見落とすことを防ぐことができる。具体的には、ＣＲ装置で撮影された胸部の医用画像を、心不全の予防のための心胸比の検査の目的以外で読影する場合でも、心胸比の異常を見落とすことを防ぐことができる。
【００９８】
更に、数値レポート情報と医用画像データとが関連付けられているので、読影医は、異常値を示す医用画像を特定できる。
【００９９】
また、読影目的外の検査数値レポートを、アノテーションとして画像データに重ねることなく画像とは別に表示するため、読影目的外の検査数値レポートが医用画像上に表示されることがない。よって、読影医による医用画像の読影の妨げにならない。
【図面の簡単な説明】
【０１００】
【図１】本発明の一実施形態における医用画像システムのシステム構成図である。
【図２】医用画像データオブジェクトのデータ構成図である。
【図３】数値レポート情報オブジェクトのデータ構成図である。
【図４】モダリティのブロック図である。
【図５】ＰＡＣＳのブロック図である。
【図６】自動計測種類テーブルのデータ構成図である。
【図７】数値レポート実データのデータ構成図である。
【図８】読影端末のブロック図である。
【図９】数値レポート異常値テーブルのデータ構成図である。
【図１０】通常読影画面の画面例である。
【図１１】注意喚起用読影画面の画面例である。
【図１２】医用画像システムにおいて実行される処理を示すラダーチャートである。
【図１３】読影画面表示処理を示すフローチャートである。
【符号の説明】
【０１０１】
１０      ＲＩＳ
２０      モダリティ
２１      制御部
２２      操作部
２３      表示部
２４      通信部
２５      ＲＯＭ
２６      記憶部
２７      撮影部
２８      バス
３０      ＰＡＣＳ
３１      制御部
３２      操作部
３３      表示部
３４      通信部
３５      ＲＯＭ
３６      記憶部
３７      バス
４０      読影端末
４１      制御部
４２      操作部
４３      表示部
４４      通信部
４５      ＲＯＭ
４６      記憶部
４７      バス
１００    医用画像システム
３６１    自動計測種類テーブル
４３１    通常読影画面
４３２    注意喚起用読影画面
４６１    数値レポート異常値テーブル
Ｎ        通信ネットワーク
【図１】
2010268821.tif 000003
【図２】
2010268821.tif 000004
【図３】
2010268821.tif 000005
【図４】
2010268821.tif 000006
【図５】
2010268821.tif 000007
【図６】
2010268821.tif 000008
【図７】
2010268821.tif 000009
【図８】
2010268821.tif 000010
【図９】
2010268821.tif 000011
【図１０】
2010268821.tif 000012
【図１１】
2010268821.tif 000013
【図１２】
2010268821.tif 000014
【図１３】
2010268821.tif 000015